(57)【要約】      （修正有）【課題】散歩時等に飼主がペットをコントロールし易く、また、ペットにとっても動きづらい等の不都合を無くしたことを特徴とする、ペットの胴輪付首輪を提供する。【解決手段】首輪部分１をペット６の頚部４に合わせた径の幅広な輪形に備え、胴輪部分２を幅広なベルト状に備え、その先端５をペット６の背中から腹部に回し他端の環７に通し折返して布テープファスナー８で結着して長さ調節自在に設け、上記の首輪部分１と胴輪部分２をペット６の背中側で設定寸法離隔して、上下２枚以上の連結帯３で一体的に連結すると共に、離隔寸法間に形成された空間８にリード連結用のＤ形環１０を前後方向移動自在に嵌挿して備えてなる、ペットの胴輪付首輪Ａによって課題を解決した。【選択図】図１
0003130537.tif 000002
【実用新案登録請求の範囲】
【請求項１】
首輪部分と胴輪部分をペットの背中側で連結帯をもって一体的に連結してなるペットの胴輪付首輪であり、
首輪部分をペットの頚部のサイズに合わせ、頭部を挿通して装着できるが容易に抜け外れしない径の幅広な輪形に備えると共に、
胴輪部分を幅広なベルト状に備え、その先端をペットの背中から腹部に回し他端の環に通し折返して布テープファスナーで結着することにより長さ調節自在に設け、
上記の首輪部分と胴輪部分をペットの背中側で設定寸法離隔して、帯状の上下２枚以上の連結帯で一体的に連結すると共に、離隔寸法間に形成された上下連結帯間の空間にリード連結用のＤ形環を該空間内で前後方向移動自在に嵌挿して備えたものである、
ペットの胴輪付首輪。
【請求項２】
幅広な輪形の首輪部分を、その頭部側の径が胴部側の径より小な截頭円錐状に備えた、
請求項１のペットの胴輪付首輪。
【請求項３】
幅広な輪形の首輪部分を、その頭部側の径が胴部側の径より小な截頭円錐状に形成すると共に、小径な頭部側の一部を嵌脱自在なドット釦の嵌脱により拡開自在として、その径を拡大できるように備えた、
請求項１のペットの胴輪付首輪。
【請求項４】
首輪部分、胴輪部分、及び、連結帯の表面主として背中側の表面に種々のデザインのボタン、鋲、アップリケ、ステッチ等の装飾を施したものである、
請求項１のペットの胴輪付首輪。
【考案の詳細な説明】
【技術分野】
【０００１】
本考案は、ペット用、主として犬用の繋索用具としての胴輪付首輪に係り、首輪部分をペットの頚部のサイズに合わせた幅広な輪形に備えると共に、胴輪部分を幅広なベルト状に備えてその先端をペットの背中から腹部に回し他端の環に通し折返して布テープファスナーで結着することにより長さ調節自在に設け、上記の首輪部分と胴輪部分をペットの背中側で設定寸法離隔して、帯状の上下２枚以上の連結帯で一体的に連結すると共に、離隔寸法間に形成された上下連結帯間の空間にリード連結用のＤ形環を該空間内で前後方向移動自在に嵌挿して備えたことによって、散歩時等に飼主がペットをコントロールし易く、また、ペットにとっても動きづらい等の不都合を無くしたことを特徴とする、ペットの胴輪付首輪を提供する。
【背景技術】
【０００２】
ペット用、主として犬用の繋索用具として、首に巻装して用いる「首輪」が最も一般的に使用されているが、「首輪」だけを装着した場合は、緩く嵌めるとしばしば抜けてしまい、きつく嵌めると繋索時にペットに苦痛を与え、そして、何れの場合もペットをコントロールし難い課題があった。
【０００３】
そこで、従来から、ペットの首に巻装する首輪と前肢直後辺の胴に巻装する胴輪を背中側と腹側の各連結帯で夫々固着して４者一体に形成し、背中側の連結帯にリード（引紐）を取付けるようにしたペットの首輪兼胴輪が使用されているが、
【０００４】
該首輪兼胴輪の場合、ペットを首輪だけで繋ぎ、引き廻すのに比して、装着がやや面倒な他は、飼主の側からすると首輪が外れ難いと共に、ペットの首と胴を同時に牽引できるため、ペットをコントロールしやすい利点があった。
【０００５】
ところが、上記従来の首輪兼胴輪は何れも同じ幅のテープ状（ナイロン平織紐、合成、天然皮紐等）に設けられているため、首輪、胴輪の幅が狭く、安価である反面、ペットの身体に喰い込んでペットに身体的負担をかける課題があった。
【０００６】
また、リード若しくはリードを連結するリングを首輪兼胴輪の背中側の定位置の１ヶ所だけに固定的に取付けており、更に、首輪、胴輪、背中、腹の連結帯の４者を固着して全体を固定一体的に構成しているため、夫々の部材間の自在性に欠け、その結果、散歩時等に、突然、ペットが飼主の前、後方向に駆け出したり、左、右方向に入れ替るように移動したりすると、首輪や胴輪が反転したり、捻れてしまったり、全体がペットの背中から脇腹方向にずれてしまったりする難点があり、よって、飼主がペットをコントロールし難いと共に、ペットも動き難く、苦痛を伴う等の課題があった。
【考案の開示】
【考案が解決しようとする課題】
【０００７】
そこで、本考案は、従来の狭幅のテープに代えて、首輪部分をペットの頚部のサイズに合わせた幅広な輪形に備えると共に、胴輪部分を幅広なベルト状に備えてその先端をペットの背中から腹部に回し他端の環に通し折返して布テープファスナーで結着することにより長さ調節自在に設け、上記の首輪部分と胴輪部分をペットの背中側で設定寸法離隔して、帯状の上下２枚以上の連結帯で一体的に連結して備えることによって、ペットの体形によくフィットするようにして、ペットの身体に優しく形成すると共に、
【０００８】
急に、ペットが飼主の前、後方向や、右、左方向等へ移動したような場合に、首輪部分または胴輪部分がリードに引かれて反転したり、捻れたり、脇腹方向へ移動してしまって、ペットが動き難くなるようなことがないように、上下２枚以上の連結帯の離隔寸法間に形成された上下連結帯間の空間にリード連結用のＤ形環を該空間内で前後方向移動自在に嵌挿して備えることによって、上記従来の課題を有効に解決したものである。
【課題を解決するための手段】
【０００９】
即ち、本考案は、首輪部分と胴輪部分をペットの背中側で連結帯をもって一体的に連結してなるペットの胴輪であり、
【００１０】
首輪部分をペットの頚部のサイズに合わせ、頭部を挿通して装着できるが容易に抜け外れしない径の幅広な輪形に備えると共に、
【００１１】
胴輪部分を幅広なベルト状に備え、その先端をペットの背中から腹部に回し他端の環に通し折返して布テープファスナーで結着することにより長さ調節自在に設け、
【００１２】
上記の首輪部分と胴輪部分をペットの背中側で設定寸法離隔して、帯状の上下２枚以上の連結帯で一体的に連結すると共に、離隔寸法間に形成された上下連結帯間の空間にリード連結用のＤ形環を該空間内で前後方向移動自在に嵌挿して備えたものである、ペットの胴輪付首輪によって課題を解決したものである。
【考案の効果】
【００１３】
上記のように、本考案胴輪は、その首輪部分、胴輪部分を幅広く曲線的なベルトラインに設けて、ペットの体形によくフィットするようにし、よって、ペットの首、胴への衝撃を幅広い面で吸収するようにしたので、ペットの身体に優しく、運動時等の身体的負担を軽減でき、また、飼主の方も小さな力でペットをコントロールできる。
【００１４】
首輪部分をペットの頚部のサイズ（例えば、大形犬、中形犬、小形犬の３サイズ）に合わせ、頭部を挿通して装着できるが容易に抜け外れしない径の幅広な輪形に備えたので、頭を通してその着脱が簡単であり、また、容易に脱落することがない。
【００１５】
胴輪部分を幅広なベルト状に備え、その先端をペットの背中から腹部に回し他端の環に通し折返して布テープファスナーで結着することにより長さ調節自在に設けたので、ペットの胴部のサイズに合わせた着脱が簡単である。
【００１６】
リード連結用のＤ形環を、上下連結帯間の離隔寸法間に形成された空間に該空間内で前後方向移動自在に嵌挿して備えたので、該Ｄ形環に取付けた適宜のリードでペットの動きをコントロールする時に、Ｄ形環のスライド機能で、急に、ペットが飼主の前方若しくは後方、右、左方向等へ移動したような場合に、首輪部分または胴輪部分がリードに引かれて反転したり、捻れたり、脇腹方向へ移動してしまって、ペットが動きにくくなるようなことがなく、常に安定した状態を保持でき、飼主、ペットの双方に快適な優れた特徴がある。
【００１７】
首輪部分、胴輪部分、及び、連結帯の表面主として背中側の表面に種々のデザインのボタン、鋲、アップリケ、ステッチ等の装飾を施すことによって、ペット用としてのバリエーションを広く展開できる。
【００１８】
幅広な輪形の首輪部分を、その頭部側の径が胴部側の径より小な截頭円錐状に形成すると共に、小径な頭部側の一部を嵌脱自在なドット釦の嵌脱により拡開自在として、その径を拡大できるように備えたので、特に、小型犬用の場合に、頭を通して着脱しやすい利点がある。
【考案を実施するための最良の形態】
【００１９】
首輪部分をペットの頚部のサイズ（例えば、大形犬、中形犬、小形犬の３サイズ）に合わせ、幅広な輪形に備えると共に、胴輪部分を幅広なベルト状に備え、その先端をペットの背中から腹部に回し他端の環に通し折返して布テープファスナーで結着することにより長さ調節自在に設け、上記の首輪部分と胴輪部分をペットの背中側で設定寸法離隔して、帯状の上下２枚以上の連結帯で一体的に連結すると共に、離隔寸法間に形成された上下連結帯間の空間にリード連結用のＤ形環を該空間内で前後方向移動自在に嵌挿して備えた、ペットの胴輪付首輪。
【実施例１】
【００２０】
本考案の実施例につき説明する。（図１〜図１１）
首輪部分１と胴輪部分２をペット６（図示例、犬）の背中側で連結帯３をもって一体的に連結してなるペットの胴輪付首輪Ａであり、
【００２１】
首輪部分１をペット６の頚部４のサイズ（例えば、大形犬、中形犬、小形犬の３サイズ）に合わせ、頭部を挿通して装着できるが容易に抜け外れしない径の幅広な輪形に備えると共に、
【００２２】
胴輪部分２を幅広なベルト状に備え、その先端５をペット６の背中から腹部に回し他端の環７に通し折返して布テープファスナー８で結着することにより長さ調節自在に設け、
【００２３】
上記の首輪部分１と胴輪部分２をペット６の背中側で設定寸法離隔して、帯状の上下２枚以上の連結帯３（例、３ａ、３ｂ）で一体的に連結すると共に、離隔寸法間に形成された上下連結帯３ａ、３ｂ間の空間８にリード連結用のＤ形環１０を該空間内で前後方向移動自在に嵌挿して備えてなる、ペットの胴輪付首輪Ａである。
【００２４】
上記胴輪付首輪Ａにおいて、幅広な輪形の首輪部分１を、その頭部側の径が胴部側の径より小な截頭円錐状に備える。
【００２５】
必要に応じて、首輪部分１の小径な頭部側の一部を嵌脱自在なドット釦１１の嵌脱により拡開自在として、ドット釦１１を外して、その径を拡大できるようにして、特に、小型犬用の場合に、頭を通して着脱し易く備え、反対に、ドット釦１１を嵌めて頭が抜け難くするように備える。
【００２６】
首輪部分１、胴輪部分２、及び、連結帯３の表面、主として背中側の表面に種々のデザインのボタン・鋲、アップリケ、ステッチ等の装飾を施すことによって、愛玩ペット用としてのバリエーションを広く展開できように備えるものである。
【００２７】
而して、本考案胴輪Ａは図１に示すように、その首輪部分１をペット６の頭部に挿通してその首に嵌着すると共に、胴輪部分２の先端５をペット６の背中から腹部に回し他端の環７に通し折返して長さ調節し、その先端５を布テープファスナー８で結着して装着し、
【００２８】
連結帯４の上下連結帯３ａ、３ｂ間の空間８に前後方向移動自在に嵌挿したＤ形環１０に、適宜のリードの先端を連結して使用する。
【００２９】
上記のように、ペット６に本考案胴輪Ａを装着し、Ｄ形環１０に取付けたリードを持って、散歩等に連れ歩いている時、ペット６が飼主の前、後方向または左、右方向等へ自由に移動してリードを引張ると、背中側の連結帯３のＤ形環１０が空間８内を負荷方向へ自在に移動して、ペット６の動きにスムーズに対応するものである。
【産業上の利用可能性】
【００３０】
例えば、大形犬用、中形犬用、小形犬用等のように、各種のペットに合わせて形状・サイズのものを備えることによって、犬、猫、その他のペット（愛玩動物）用として汎用できる。
【図面の簡単な説明】
【００３１】
【図１】本考案実施例をペット（犬）に装着した状態の図。
【図２】実施例の正面図。
【図３】背面図。
【図４】平面図。
【図５】底面図。
【図６】右側面図。
【図７】左側面図。
【図８】展開平面図。
【図９】展開底面図。
【図１０】図５の連結帯部分の拡大斜視図。
【図１１】首輪部分にドット釦を備えた平面図。
【符号の説明】
【００３２】
Ａ    本考案胴輪付首輪
１    首輪部分
２    胴輪部分
３（３ａ、３ｂ）連結帯
４    頚部
５    先端
６    ペット（図示例、犬）
７    環
８    布テープファスナー
９    空間
１０  Ｄ形環
１１  ドット釦
【図１】
0003130537.tif 000003
【図２】
0003130537.tif 000004
【図３】
0003130537.tif 000005
【図４】
0003130537.tif 000006
【図５】
0003130537.tif 000007
【図６】
0003130537.tif 000008
【図７】
0003130537.tif 000009
【図８】
0003130537.tif 000010
【図９】
0003130537.tif 000011
【図１０】
0003130537.tif 000012
【図１１】
0003130537.tif 000013